(57)【要約】【課題】ワイヤレスの受電デバイスに適した、効率的な給電処理を行うことを目的とする。【解決手段】外部デバイスへの無線による給電を行う給電手段と、外部デバイスの受電電力を示す受電電力情報を受信する受電電力受信手段と、給電手段に設定された設定電力と、受電電力情報に示される受電電力とに基づいて、給電手段による給電のオンオフを制御する給電制御手段とを有することによって課題を解決する。【選択図】図２
2014150636.tif 000002
【特許請求の範囲】
【請求項１】
外部デバイスへの無線による給電を行う給電手段と、
前記外部デバイスの受電電力を示す受電電力情報を受信する受電電力受信手段と、
前記給電手段に設定された設定電力と、前記受電電力情報に示される前記受電電力とに基づいて、前記給電手段による給電のオンオフを制御する給電制御手段と
を有することを特徴とする給電装置。
【請求項２】
前記設定電力に対する前記受電電力の割合である受電率を算出する受電率算出手段をさらに有し、
前記給電制御手段は、前記受電率が閾値以上である場合に、前記給電手段による給電を継続し、前記受電率が閾値未満である場合に、前記給電手段による給電を停止することを特徴とする請求項１に記載の給電装置。
【請求項３】
前記給電手段による給電電力を特定する給電電力特定手段をさらに有し、
前記給電制御手段は、さらに前記給電電力に基づいて、前記給電手段からの給電のオンオフを制御することを特徴とする請求項１に記載の給電装置。
【請求項４】
前記設定電力に対する前記受電電力の割合である受電率を算出する受電率算出手段と、
前記給電電力に対する前記受電電力の割合である給電効率を算出する給電効率算出手段と
をさらに有し、
前記給電制御手段は、前記受電率と前記給電効率とに基づいて、前記給電手段からの給電のオンオフを制御することを特徴とする請求項３に記載の給電装置。
【請求項５】
前記受電率と前記給電効率との関係を示す関係情報を格納する関係情報格納手段と、
対応するタイミングにおいて得られた前記受電電力に対する前記受電率と、前記給電電力に対する前記給電効率とが、前記関係情報に示される関係を満たすか否かを判断する関係判断手段と
をさらに有し、
前記給電制御手段は、対応する前記タイミングにおける前記受電率と前記給電効率とが前記関係を満たす場合に、前記給電手段による給電を継続し、前記関係を満たさない場合に、前記給電手段による給電を停止することを特徴とする請求項４に記載の給電装置。
【請求項６】
前記関係情報は、前記給電効率と前記受電率の関係を示す関数であることを特徴とする請求項５に記載の給電装置。
【請求項７】
外部デバイスへの無線による給電を行う給電手段と、
前記外部デバイスの受電電力を示す受電電力情報を受信する受電電力受信手段と、
前記給電手段に設定された設定電力と、前記受電電力情報に示される前記受電電力とに基づいて、前記給電手段による給電のオンオフを制御する給電制御手段と
を有することを特徴とする画像形成装置。
【請求項８】
外部デバイスへの無線による給電を行う給電手段と、
前記外部デバイスの受電電力を示す受電電力を計測する計測手段と、
前記給電手段に設定された設定電力と、前記受電電力とに基づいて、前記給電手段による給電のオンオフを制御する給電制御手段と
を有することを特徴とする給電システム。
【請求項９】
給電装置が実行する給電方法であって、
外部デバイスへの無線による給電を行う給電ステップと、
前記外部デバイスの受電電力を示す受電電力情報を受信する受電電力受信ステップと、
前記給電ステップにおける設定電力と、前記受電電力情報に示される前記受電電力とに基づいて、前記外部デバイスへの給電のオンオフを制御する給電制御ステップと
を含むことを特徴とする給電方法。
【請求項１０】
給電システムが実行する給電方法であって、
外部デバイスへの無線による給電を行う給電ステップと、
前記外部デバイスの受電電力を示す受電電力を計測する計測ステップと、
前記給電ステップにおける設定電力と、前記受電電力とに基づいて、前記外部デバイスへの給電のオンオフを制御する給電制御ステップと
を含むことを特徴とする給電方法。
【請求項１１】
コンピュータを、
外部デバイスの受電電力を示す受電電力情報を受信する受電電力受信手段と、
外部デバイスに無線により給電する給電手段に設定された設定電力と、前記受電電力情報に示される前記受電電力とに基づいて、前記外部デバイスへの給電のオンオフを制御する給電制御手段と
して機能させるためのプログラム。
【発明の詳細な説明】
【技術分野】
【０００１】
本発明は、給電装置、画像形成装置、給電システム、給電方法及びプログラムに関する。
【背景技術】
【０００２】
一般的に、携帯電話やスマートフォン、タブレットＰＣ、ノートＰＣなどの携帯端末は、バッテリを装備し、その電源ケーブルを廃することにより、携帯性を高め、利便性を追求している。さらに、コネクタ等の接続手段を介さず、非接触（ワイヤレス）でバッテリの充電を行う充電装置に関する技術も知られている。
また、ＭＦＰ（Ｍｕｌｔｉｆｕｎｃｔｉｏｎ  Ｐｅｒｉｐｈｅｒａｌ）は、上述のような携帯端末と連携することにより、ワイヤレスネットワークを介し、所望のプリント出力を得たり、スキャナ入力を行ったりできるようになりつつある。ＭＦＰと携帯端末を連携させた技術としては、ＭＦＰを給電ポイントとしたワイヤレス給電により携帯端末に電力を供給する技術も知られている。この技術においては、携帯端末は、ＭＦＰと連携している間、バッテリの消耗を意識することなく処理を行うことができる。
このような給電システムにおける給電量を管理する技術も知られている。例えば、特許文献１には、電力を給電する側の電力量と、電力を消費する側の電力量とを比較し、供給側の電力発生源に応じて、消費する側の電気機器を選択する技術が開示されている。
【先行技術文献】
【特許文献】
【０００３】
【特許文献１】特開２０１１−８３０８５号公報
【発明の概要】
【発明が解決しようとする課題】
【０００４】
ワイヤレス給電システムにおいては、受電デバイスは、ワイヤレスであるが故に、ＭＦＰからの受電中に移動し、その存在位置が変化することが想定される。このように、受電中に受電デバイスの位置が変化することにより、問題が生じる可能性がある。例えば、給電装置としてのＭＦＰと受電デバイスの間に遮蔽物が存在することとなり、遮蔽物により、給電電力が遮蔽される可能性がある。また、ＭＦＰと受電デバイスの間に受電可能な異物が存在することとなり、ＭＦＰから異物への給電が行われる可能性がある。ワイヤレス給電システムにおいては、給電対象がワイヤレス装置であることに起因した不都合を解消し、効率的な給電処理を行うことが望まれている。
【０００５】
本発明はこのような問題点に鑑みなされたもので、ワイヤレスの受電デバイスに適した、効率的な給電処理を行う仕組みを提供することを目的とする。
【課題を解決するための手段】
【０００６】
そこで、本発明は、給電装置であって、外部デバイスへの無線による給電を行う給電手段と、前記外部デバイスの受電電力を示す受電電力情報を受信する受電電力受信手段と、前記給電手段に設定された設定電力と、前記受電電力情報に示される前記受電電力とに基づいて、前記給電手段からの給電のオンオフを制御する給電制御手段とを有することを特徴とする。
【発明の効果】
【０００７】
本発明によれば、ワイヤレスの受電デバイスに適した、効率的な給電処理を行う仕組みを提供することができる。
【図面の簡単な説明】
【０００８】
【図１】給電システムを示す図である。
【図２】ＭＦＰを示す図である。
【図３】ワイヤレス給電制御部を示す図である。
【図４】データテーブルの一例を示す図である。
【図５】外部デバイスを示す図である。
【図６】給電処理を示すシーケンス図である。
【図７】フレームを示す図である。
【図８】関連付け期間における処理を示すシーケンス図である。
【図９】転送準備期間における処理を示すシーケンス図である。
【図１０】フレーム割り付け結果の一例を示す図である。
【図１１】電力転送期間における処理を示すシーケンス図である。
【図１２】給電制御処理を示すフローチャートである。
【図１３】操作部を示す図である。
【図１４】表示データの一例を示す図である。
【図１５】表示データ画面の表示例を示す図である。
【発明を実施するための形態】
【０００９】
以下、本発明の実施形態について図面に基づいて説明する。
図１は、給電装置を備える画像形成装置としてのデジタル複写機複合機（ＭＦＰ：Ｍｕｌｔｉ  Ｆｕｎｃｔｉｏｎ  Ｐｅｒｉｐｈｅｒａｌ／Ｍｕｌｔｉ  Ｆｕｎｃｔｉｏｎ  Ｐｒｉｎｔｅｒ）１０１と、外部デバイスとを備える給電システムを示す図である。ＭＦＰ１０１は、外部デバイス１０２，１０３，１０４に対しワイヤレス給電を行う。本実施形態にかかるＭＦＰ１０１は、ユーザによるワイヤレス給電のモニタ及び制御のための操作手段を備えたシステムである。
図１に示す外部デバイス１０２は、デジタルカメラである。また、外部デバイス１０３，１０４は、スマートフォンである。なお、ＭＦＰ１０１が給電可能な外部デバイスの数及び種類は実施形態に限定されるものではない。
【００１０】
図１に示すように、ＭＦＰ１０１は、ワイヤレス給電の給電ポイントとなる。図１に示す通信可能領域１０５は、ＭＦＰ１０１とのワイヤレス通信が可能な領域である。すなわち、外部デバイスは、通信可能領域１０５内に位置する場合に、ＭＦＰ１０１との通信を行うことができる。
図１に示す給電可能領域１０６は、ＭＦＰ１０１によるワイヤレス給電が可能な領域である。すなわち、外部デバイスは、給電可能領域１０６内に位置する場合に、ＭＦＰ１０１による適切な量のワイヤレス給電を受けることができる。給電可能領域１０６は、ＭＦＰ１０１の給電電力、すなわち給電能力により定まる範囲である。
【００１１】
図１に示す例においては、外部デバイス１０２，１０４は、給電可能領域１０６の外側であって、かつ通信可能領域１０５内に位置している。したがって、外部デバイス１０２，１０４は、ＭＦＰ１０１と通信のみを行っている。一方、外部デバイス１０３は、給電可能領域１０６内に位置している。したがって、外部デバイス１０３は、ＭＦＰ１０１からの給電を受けることができる。
本実施形態にかかるＭＦＰ１０１は、外部デバイスから受電電力を受信する。ここで、受電電力は、ＭＦＰ１０１から受電した電力を示す情報である。そして、ＭＦＰ１０１は、受電電力に基づいて、給電電力を制御する。
【００１２】
図２は、ＭＦＰ１０１の構成を示す図である。ＭＦＰ１０１は、コントローラユニット２０３と、スキャナ２０１と、プリンタ２０２と、操作部２１１とを有している。スキャナ２０１は、原稿台に載置された原稿の情報を読み取る手段を有している。また、図示はしないが、ＭＦＰ１０１は、スキャナ２０１上にドキュメントフィーダーを載置できる。これにより、ＭＦＰ１０１は、複数のドキュメントを読み取る際、効率よく読み込むことができる。プリンタ２０２は、印刷機能を有している。プリンタ２０２は、スキャナ２０１により読み込まれた画像、ＩＰネットワーク網２１３より転送される画像、及びＨＤＤ２１７に格納されている画像を印刷出力する手段を有している。
操作部２１１は、ユーザインタフェースとして機能する。操作部２１１は、ユーザによる入力手段と、情報を表示するための表示手段とを有している。入力手段は、例えばユーザが指示データ等を入力するためのキーボードなどの手段や、ポインティングデバイス等の領域を指定する手段である。また、表示手段は、文書情報等を表示する表示画面等である。
【００１３】
コントローラユニット２０３は、スキャナインターフェース（Ｉ／Ｆ）２０４と、プリンタインターフェース（Ｉ／Ｆ）２０５と、画像処理部２０６と、制御部２０７と、操作制御部２０９とを有している。コントローラユニット２０３はまた、ストレージ手段として、ＭＦＰ１０１内部に設置されるＨＤＤ２１７とハードディスクコントローラ２１６とを有している。コントローラユニット２０３はまた、ネットワークインターフェース（Ｉ／Ｆ）２１０と、バス２１２とを有している。ネットワークＩ／Ｆ２１０は、外部とのインターフェース部である。バス２１２は、コントローラユニット２０３の各部を制御し、接続する。ＨＤＤ２１７は、スキャン画像やプリント画像等、各種データの一時保管に用いるストレージである。
画像処理部２０６は、スキャナ２０１にて読み込まれた画像を各ユニットに転送するための最適な画像処理を行う。画像処理部２０６は、例えば、画像をＨＤＤ２１７に転送する。画像処理部２０６はまた、ネットワークＩ／Ｆ２１０を介してスキャン画像を転送する。画像処理部２０６は、画像転送の際に、最適な圧縮処理を行う。
また、画像処理部２０６は、プリンタ２０２よりプリント出力を得るための画像処理を行う。プリント画像ソースとしては、スキャナ２０１より読み込まれる画像、ＨＤＤ２１７に格納されている画像などがある。また、プリント画像ソースとしては、ＩＰネットワーク網２１３及びネットワークＩ／Ｆ２１０を介して転送されるプリント画像等がある。画像処理部２０６は、各々の画像ソースから、ドキュメントを最適にプリント出力できるように、伸長処理や、解像度変換などの各種画像処理を行う。
【００１４】
制御部２０７は、バス２１２を介して接続される画像処理部２０６と、スキャナＩ／Ｆ２０４と、プリンタＩ／Ｆ２０５とを制御し、画像のハンドリングを行う。操作制御部２０９は、操作部２１１をコントロールし、ユーザの指示データを制御部２０７にて指示制御できる形に変換する。
電源供給部２２１は、ＡＣ（Ａｌｔｅｒｎａｔｉｎｇ  Ｃｕｒｒｅｎｔ）電源（商用電源）にコンセント接続されＭＦＰ１０１全体に電源を供給する。パワーユニット２２０は、電源供給部２２１から供給されるＡＣ電圧をＤＣ（Ｄｉｒｅｃｔ  Ｃｕｒｒｅｎｔ）電圧に変換し、各負荷の電源として供給する。図示はしないが、パワーユニット２２０には、メインパワーＳＷが含まれている。
【００１５】
給電通信部２２２は、ＭＦＰ１０１が電力を供給する外部デバイス（受電デバイス）へワイヤレス給電を行う際の、通信によるデバイスの識別や認証を行うための通信部である。給電通信部２２２には、通信部アンテナ２２３が接続されている。給電通信部２２２は、近傍無線通信等の無線通信方式よって外部デバイスとの無線通信を行う。
ワイヤレス給電制御部２２４は、外部デバイスに対して非接触による給電を行う電源供給部である。ワイヤレス給電制御部２２４には、給電部アンテナ２２５が接続されている。ワイヤレス給電制御部２２４は、給電部アンテナ２２５を介し、電気エネルギーを供給する。非接触給電の方法としては、電磁誘導方式、電界／磁界共鳴方式、電波受信方式などの方法が挙げられる。なお、ユーザは、操作部２１１の操作により、ワイヤレス給電制御部２２４が外部デバイスに給電する電力、すなわち給電能力を、指定又は変更することができる。
【００１６】
制御部２０７は、コントローラユニット２０３の全体制御を司る。制御部２０７は、内部にコントロールの中核となるＣＰＵ２１４を実装している。制御部２０７はまた、ＣＰＵ２１４が実施する制御プログラムＲＯＭや一時利用メモリとするワークＲＡＭ等のメモリ２０８を実行している。
以下に示すＭＦＰ１０１の処理は、ＣＰＵ２１４がメモリ２０８に格納されているプログラムを読み出し、これを実行することにより、一時利用メモリとして使用されるワークＲＡＭ等のメモリ２０８との協働により実現されるものである。
【００１７】
図３は、ワイヤレス給電制御部２２４を示す図である。ワイヤレス給電部３０１には、パワーユニット２２０より、精密抵抗３０３を介し電力が供給される。供給された電力は、非接触給電方式に基づき電力変換され、給電部アンテナ２２５に転送される。精密抵抗３０３は、例えば１ｍΩの抵抗値を有している。電流が精密抵抗３０３を通過すると、電圧降下が生じる。電力計測部３０２は、精密抵抗３０３の電圧を読み取り、これをワイヤレス給電部３０１に供給される電流として検知する。
電力計測部３０２は、パワーユニット２２０から供給される電圧及び単位時間当たりに消費される電流に基づいて、給電電力を計測する。本実施形態においては、電力計測部３０２は、１分間に供給する電力量を給電電力として計測することとする。ここで、給電電力の単位は、「ｍＷ／ｍｉｎ」である。
計測された給電電力は、接続されるバス２１２によって、制御部２０７に読み取られ、ワイヤレス給電をコントロールするデータとして用いられる。なお、給電電力を得るための構成は、実施の形態に限定されるものではない。
【００１８】
図４は、メモリ２０８に記憶されるデータテーブルを模式的に示す図である。データテーブルは、後述する処理によりＣＰＵ２１４により参照され、また更新される。データテーブルのデバイスＩＤは、ＭＦＰ１０１が給電可能な外部デバイス、すなわち給電可能デバイスの固有のＩＤである。
後述する給電処理の他、ＩＰネットワーク網２１３を介し、プリントやスキャンなどにおいて、ＭＦＰ１０１が外部デバイスと連携する場合に、ＭＦＰ１０１は、外部デバイスからデバイスＩＤを受信する。これにより、ＭＦＰ１０１は、いずれの外部デバイスと連携を行っているかを特定することができる。
【００１９】
給電周波数は、ワイヤレス給電制御部２２４から外部デバイスに対して、給電を行う場合の電力の共振周波数である。この周波数を変えることにより、特定の外部デバイスへワイヤレス給電を行うことができる。図４に示す給電周波数の単位は、ＫＨｚである。
要求電力は、外部デバイスがワイヤレス給電を受ける際に、要求する電力を示す。本実施の形態にかかるＭＦＰ１０１のＣＰＵ２１４は、この要求電力を、給電電力として、ワイヤレス給電制御部２２４に設定する。すなわち、要求電力は、設定電力の一例である。図４に示す要求電力の単位は、ｍＷ／ｍｉｎである。なお、ＣＰＵ２１４は、後述する処理（図９のＳ６０２）において、給電周波数及び要求電力を外部デバイスから取得し、データテーブルに書き込む。
【００２０】
バッテリ充電状況は、外部デバイスに付属するバッテリの充電量である。後述する処理（図１１のＳ９０６）において、ＣＰＵ２１４が外部デバイスから取得するデータである。図４に示す充電量の単位は、％である。充電量は、満充電の時に１００％となる。
【００２１】
給電フラグは、給電中又は給電停止を示すフラグである。処理については後述するが、給電停止となった場合には、ＣＰＵ２１４により、給電フラグにＳｔｏｐが設定される。給電中は、ＣＰＵ２１４により、給電フラグにＳｕｐｐｌｙが設定される。
ステータスコードは、外部デバイスのステータスコードである。ステータスコードは、外部デバイスの受電状況を示す情報である。本実施の形態においては、ステータスコードには、ＯＵＴ、ＧＯＯＤ及びＥＲＲの３つのフラグのうちいずれかのフラグが設定される。ＯＵＴフラグは、外部デバイスが給電可能領域１０６の外側又は障害物によりＭＦＰ１０１からの給電が遮蔽される位置に存在することを示している。ＧＯＯＤフラグは、外部デバイスが障害なく受電可能な状態を示している。ＥＲＲフラグは、外部デバイスに何らかエラーが生じたことを示している。
【００２２】
優先フラグは、優先的に給電される外部デバイスを示す情報である。Ｐｒｉｏｒｉｔｙフラグに対応する外部デバイスは、他の外部デバイスに優先して給電される。なお、優先フラグは、ユーザが操作部２１１を操作することにより、所望の外部デバイスを選択し、設定することができる。連携フラグは、連携動作中の外部デバイスを示す。連携動作としては、外部デバイスとＭＦＰ１０１とがＩＰネットワーク網２１３を介して実行するスキャン／プリント等がある。
ＭＦＰ１０１が連携動作を実行中に外部デバイスから受信したデバイスＩＤが、データテーブル上のデバイスＩＤと一致した場合に、ＭＦＰ１０１は、このデバイスＩＤに対応付けて、連携フラグをセットする。ＭＦＰ１０１は、例えば、プリント動作中の外部デバイスに対し、Ｐｒｉｎｔフラグをセットする。
給電電力は、後述する処理（図１１のＳ９０９）において、電力計測部３０２により計測された電力である。受電電力は、後述する処理（図１１のＳ９２５）において、外部デバイスから受信した電力である。
【００２３】
図５は、外部デバイスの構成を示す図である。受電通信部４０３は、通信部アンテナ４０２が接続され、近傍無線通信等の無線通信方式よって外部デバイスとの無線通信を行う。受電通信部４０３は、給電ポイントとしてのＭＦＰ１０１からワイヤレス給電を受ける際に、デバイスの識別や認証を行う。受電通信部４０３はまた、給電に必要な各種情報を送受信する。
ワイヤレス受電部４０５は、受電部アンテナ４０４が接続され、受電部アンテナ４０４を介し、電気エネルギーの供給を受ける。ワイヤレス受電部４０５は、給電ポイントから非接触による給電を受け、電力に変換を行う電源供給部である。ワイヤレス受電部４０５により変換された電力は、精密抵抗４０６を介し電源部４０８に供給される。
【００２４】
電力計測部４０７は、ワイヤレス給電によって供給される単位時間あたりの電力の計測を行う。電力計測部４０７は、図３を参照しつつ説明したワイヤレス給電制御部２２４の電力計測部３０２と同様である。計測された電力データは、外部デバイスユニット４０９によって読み取られ、電力制御に用いられる。電源部４０８は、外部デバイスの電源を、外部デバイスユニット４０９の指令に基づいてコントロールする。電源部４０８は、バッテリを有している。電源部４０８は、例えばワイヤレス給電に対応する受電が開始すると、電源をバッテリから、ワイヤレス給電に対応する受電に切り替える処理を行う。電源部４０８はまた、例えば、ワイヤレス給電により得られる電力を、バッテリに充電するように経路の切り替えを行う。
外部デバイスユニット４０９は、外部デバイス全体をコントロールするユニットである。外部デバイスユニット４０９は、不図示のＣＰＵ、制御プログラムＲＯＭ、一時利用メモリとするワークＲＡＭ等のメモリ等を有している。以下に示す外部デバイスの処理は、外部デバイスユニット４０９のＣＰＵがメモリに格納されているプログラムを読み出し、これを実行することにより実現されるものである。
【００２５】
図６は、ＭＦＰ１０１による給電処理を示すシーケンス図である。ＭＦＰ１０１は、給電処理において、外部デバイスへのワイヤレス給電を行う。なお、図６においては、１つの外部デバイスのみを示すが、ＭＦＰ１０１は、複数の外部デバイスと通信を行うことができる。
給電処理は、図６に示すように、関連付け期間（Ｓ３０１、Ｓ３０２、Ｓ３０３）、転送準備期間（Ｓ３０４、Ｓ３０５）及び電力転送期間（Ｓ３０６、Ｓ３０７、Ｓ３０８、Ｓ３０９）の３つの期間の処理に大別される。ＭＦＰ１０１は、関連付け期間、転送準備期間及び電力転送期間を１つのフレームとし、このフレームを繰り返すことにより、ワイヤレス給電を行う。
【００２６】
以下、各ステップの詳細について説明する。
＜関連付け期間＞
Ｓ３０１のＡＲＱ（Ａｓｓｏｃｉａｔｉｏｎ  Ｒｅｑ）処理において、ＣＰＵ２１４は、バス２１２を介し、給電通信部２２２に通信コマンドを発行する。給電通信部２２２は、通信コマンドに基づいて、各外部デバイスに対し、ブロードキャスト通信を行い、受電を希望する外部デバイスへ、給電開始を通知する。
Ｓ３０２のＡＲＳ（Ａｓｓｏｃｉａｔｉｏｎ  Ｒｅｓｐｏｎｓｅ）処理において、ＣＰＵ２１４は、バス２１２を介し、給電通信部２２２によって、受電を希望する外部デバイスから、デバイスＩＤを受信する。ＡＲＳ処理により、ＣＰＵ２１４は、受電を希望する外部デバイスを検知する。
Ｓ３０３のＲＡ（Ｒｅｓｐｏｎｓｅ  Ａｃｋ）処理において、ＣＰＵ２１４は、受け取ったデバイスＩＤから、給電を行う外部デバイスを選択する。そして、ＣＰＵ２１４は、バス２１２を介し、給電通信部２２２から、選択した外部デバイスのデバイスＩＤを返信する。これにより、ＣＰＵ２１４は、外部デバイスに対し給電を了承する。このとき、了承を得られなかった外部デバイスは、次のフレームのＡＲＱ処理を待つ。
【００２７】
＜転送準備期間＞
Ｓ３０４のＤＲＱ（Ｄａｔａ  Ｒｅｑ）処理において、ＣＰＵ２１４は、バス２１２を介し、給電通信部２２２から、給電を行う外部デバイスのデバイスＩＤを送信する。そして、ＣＰＵ２１４は、対象となる外部デバイスに対し、給電を行うために必要な外部デバイスの情報をリクエストする。リクエストする情報としては、電力伝搬周波数、デバイス側が必要な電力、デバイス固有情報等がある。
Ｓ３０５のＲｅｓｐｏｎｓｅ  Ｆｒａｍｅ処理において、ＣＰＵ２１４は、給電通信部２２２よって、リクエストを受けた外部デバイスから各情報を受信し、バス２１２を介し情報を得る。ＣＰＵ２１４は、受信した情報をメモリ２０８に格納する。ＣＰＵ２１４はまた、受信した情報を基に、ワイヤレス給電制御部２２４による給電を行うためのプログラムを実行する。例えば、ＣＰＵ２１４は、関連付け期間において選択された外部デバイスへの給電時間を算出する。ここで、給電時間は、ＣＰＵ２１４によりワイヤレス給電制御部２２４からのワイヤレス供給電力、外部デバイスの要求電力、電力転送効率などに基づいて、設定される値である。
【００２８】
＜電力転送期間＞
Ｓ３０６のＴｒａｎｓｆｅｒｒｉｎｇ  Ｐｏｗｅｒ処理において、ＣＰＵ２１４は、バス２１２を介し、ワイヤレス給電制御部２２４に対し、コマンドを発行し給電を開始する。セットするコマンドは、給電時間及び給電開始のコマンドである。Ｓ３０７のＴｅｒｍｉｎａｔｉｏｎ  ｏｆ  Ｐｏｗｅｒ  ｔｒａｎｓｆｅｒにおいて、給電時間が終了すると、ワイヤレス給電部３０１は給電を終了する。さらに、ＣＰＵ２１４は、バス２１２を介し、給電終了通知をワイヤレス給電制御部２２４から受ける。ＣＰＵ２１４はまた、給電通信部２２２より、外部デバイスに給電終了を通知する。
Ｓ３０８のＤＡＴＡにおいて、ＣＰＵ２１４は、バス２１２を介し、給電通信部２２２より外部デバイスから、通電終了通知を受けた旨を受ける。またＳ３０８では、ＣＰＵ２１４は、例えば受信電力、バッテリ充電量などのデータも受信し、これらを給電データとして、メモリ２０８に格納する。Ｓ３０９のＤＡ（Ｄａｔａ  Ａｃｋ）において、ＣＰＵ２１４は、バス２１２を介し、給電通信部２２２から外部デバイスへ、給電データを受けた旨を通知し、フレームを終了する。
【００２９】
ＣＰＵ２１４は、バス２１２を介し、給電通信部２２２からの通信により、電力転送期間の間、外部デバイスから各種情報を得ることができる。すなわち、ＣＰＵ２１４は、Ｓ３０６のＴｒａｎｓｆｅｒｒｉｎｇ  Ｐｏｗｅｒ処理の実行後は、外部デバイスから給電データを受信するステップＳ３０８，Ｓ３０９の処理を適宜実行することができる。これにより、例えば、外部デバイスにおいて不測の事態などが起きた場合には、ＣＰＵ２１４は、外部デバイスからの給電停止等の要求を迅速に受信することができる。すなわち、ＣＰＵ２１４は、外部デバイスへの給電を迅速にストップすることができる。
図７は、関連付け期間（Ｓ３０１、Ｓ３０２、Ｓ３０３）、転送準備期間（Ｓ３０４、Ｓ３０５）及び電力転送期間（Ｓ３０６、Ｓ３０７、Ｓ３０８、Ｓ３０９）を１フレームした、フレームが連続する様子を示す図である。ＭＦＰ１０１は、それぞれのフレームにおいて、関連付け期間（Ｓ３０１、Ｓ３０２、Ｓ３０３）に認証した異なる外部デバイスに対する給電を行う。ＭＦＰ１０１は、連続したフレームにおいて、それぞれ異なる外部デバイスに給電を行うことで、複数の外部デバイスへの給電を実現する。
【００３０】
図８は、関連付け期間における詳細な処理を示すシーケンス図である。図８を参照しつつ、ＭＦＰ１０１と、外部デバイスＡ，Ｂとの処理について説明する。なおＭＦＰ１０１が通信を行う外部デバイスの数は、本例に限定されるものではない。関連付け期間の処理が開始すると、まず、Ｓ５０１において、ＭＦＰ１０１のＣＰＵ２１４は、給電通信部２２２より外部デバイスに対し、ブロードキャスト通信により、給電開始を通知する。
Ｓ５１１，Ｓ５２１において、それぞれ外部デバイスＡ，Ｂは、ＭＦＰ１０１からブロードキャスト通信による給電開始の情報を受信する。外部デバイスＡ，Ｂは、受電を希望する場合には、Ｓ５１２，５２２の処理に進む。Ｓ５１２，Ｓ５２２において、それぞれ外部デバイスＡ，Ｂは、受電希望通知と共に自身のデバイスＩＤをＭＦＰ１０１に送信する。
【００３１】
Ｓ５０２において、ＭＦＰ１０１のＣＰＵ２１４は、給電通信部２２２より受電を希望する外部デバイスからデバイスＩＤを受信する。受電を希望する外部デバイスが複数存在する場合、ＣＰＵ２１４は、順次デバイスＩＤを受信する。そして、ＣＰＵ２１４は、デバイスＩＤを受信した場合に、デバイスＩＤの送信元の外部デバイスを給電可能な外部デバイスとして特定する。ここで、送信元の外部デバイスは、受信したデバイスＩＤにより特定される。
Ｓ５０３において、ＣＰＵ２１４は、受信したデバイスＩＤ（給電可能な外部デバイスのデバイスＩＤ）とデータテーブルに格納されているデバイスＩＤとを比較する。そして、データテーブルに格納されているデバイスＩＤのうち、Ｓ５０２において取得しなかったデバイスＩＤが存在する場合には、取得しなかったデバイスＩＤに対応するレコードをデータテーブルから削除する。
【００３２】
Ｓ５０４において、ＣＰＵ２１４は、データテーブルを参照し、Ｓ５０２において取得したデバイスＩＤがデータテーブルに登録済みであるか否かを判断する。取得したデバイスＩＤが、データテーブルに登録されていない場合、すなわち新たな外部デバイスのデバイスＩＤの場合は、ＣＰＵ２１４は、Ｓ５０５の処理を行う。取得したデバイスＩＤが、データテーブルに登録されている場合、すなわち、既に実行済みのフレームにおいて、既に給電済みの外部デバイスのデバイスＩＤの場合は、ＣＰＵ２１４は、Ｓ５０６の処理を行う。
Ｓ５０５において、ＣＰＵ２１４は、新たなデバイスＩＤのレコードを作成し、これをデータテーブルに追加する。このように、ＣＰＵ２１４は、給電処理のＳ５０５の処理において、外部デバイス（給電可能デバイス）の情報を適宜新たなレコードとして追加し、レコードの更新を行っている。Ｓ５０５において、ＣＰＵ２１４は、新たなデバイスＩＤを給電対象デバイスとして選択する。このように、ＣＰＵ２１４は、新たな外部デバイスが検出された場合には、新たなデ外部デバイスを優先的に給電対象デバイスとして選択することとする。
【００３３】
Ｓ５０６において、ＣＰＵ２１４は、受信したデバイスＩＤの中から、現フレームで給電を行う外部デバイス、すなわち給電対象デバイスのデバイスＩＤを選択する。給電対象デバイスを選択する処理において、ＣＰＵ２１４は、ＭＦＰ１０１の給電能力と、データテーブルに格納されている各外部デバイスの要求電力とを参照する。より具体的には、ＣＰＵ２１４は、各フレームに処理時間とフレームＩＤを割り当てる。そして、ＣＰＵ２１４は、フレームＩＤを選択することにより、順次給電対象デバイスを選択する。
給電対象デバイスを選択する処理においては、ＣＰＵ２１４は、例えば、ワイヤレス給電部３０１の給電能力が十分にある場合は、先着順、予め登録されている登録順などにより給電対象デバイスを選択する。ＣＰＵ２１４は、また例えば、優先権が設定されている場合は優先順に給電対象デバイスを選択してもよい。
Ｓ５０７において、ＣＰＵ２１４は、給電を認証したことを通知するために給電通信部２２２より給電対象デバイスのデバイスＩＤを認証済みの外部デバイスに送信する。なお、ＣＰＵ２１４は、新たな外部デバイスに対する認証を優先的に行うこととする。以上で、関連付け期間におけるＭＦＰ１０１の処理が完了する。ＭＦＰ１０１は、続いて転送準備期間の処理を行う。
【００３４】
一方、Ｓ５１３，Ｓ５２３において、外部デバイスＡ，Ｂは、デバイスＩＤを受信し、Ｓ５１４，Ｓ５２４の処理を行う。Ｓ５１４，Ｓ５２４において、外部デバイスＡ，Ｂは、受信したデバイスＩＤが自身のデバイスＩＤであるか否かを判定する。
自身のデバイスＩＤの場合は、外部デバイスＡ，Ｂは、関連付け期間の処理を終了し、転送準備期間の処理を行う。自身のデバイスＩＤでない場合は、Ｓ５１１，Ｓ５２１に戻り、外部デバイスＡ，Ｂは、次のフレームの関連付け期間におけるブロードキャスト通信を待つ。例えば、Ｓ５０６において、ＭＦＰ１０１により外部デバイスＡが選択された場合は、外部デバイスＡは、関連付け期間における処理を完了する。外部デバイスＡは、続いて転送準備期間の処理を行う。またこのとき、外部デバイスＢは、Ｓ５２１の処理に戻り、次のフレームの関連付け期間におけるブロードキャスト通信を待つ。
【００３５】
図９は、転送準備期間における詳細な処理を示すシーケンス図である。図９を参照しつつ、関連付け期間において外部デバイスＡが選択された場合の処理を例に、転送準備期間における処理を説明する。まず、Ｓ６０１において、ＭＦＰ１０１のＣＰＵ２１４は、認証を行い、給電を実行する外部デバイスのデイバスＩＤと共にデバイス情報の要求を給電通信部２２２より送信する。デバイス情報としては、給電を行うための周波数情報や、給電を行う際、外部デバイスＡが要求する要求電力などがある。
Ｓ６１２において、外部デバイスＡは、自身のデバイスＩＤと共にデバイス情報の要求を受信する。外部デバイスＡは、さらに要求されたデバイス情報を送信し、転送準備期間での処理は完了する。一方、Ｓ６０２において、ＭＦＰ１０１のＣＰＵ２１４は、給電を行う外部デバイスから、必要な情報、すなわちデバイス情報を取得する。
【００３６】
次に、Ｓ６０３において、ＣＰＵ２１４は、取得したデバイス情報を、デバイスＩＤに対応付けてデータテーブルに追加する。すなわち、ＣＰＵ２１４は、データテーブルを更新する。次に、Ｓ６０４において、ＣＰＵ２１４は、データテーブルを参照し、給電周波数を及び要求電力をワイヤレス給電制御部２２４に設定する。次に、Ｓ６０５において、ＣＰＵ２１４は、データテーブルを参照し、現フレームの給電時間を算出し、ワイヤレス給電制御部２２４にセットする。以上で、ＭＦＰ１０１の転送準備期間における処理は完了する。
ここで、Ｓ６０５において、ＣＰＵ２１４がデータテーブルを参照し、給電対象となる外部デバイスの給電時間を算出する処理について説明する。例えば、デバイスＩＤ０３，０２，０５の３つの外部デバイスがデータテーブルに登録されているとする。この場合には、ＣＰＵ２１４は、それぞれのデバイスＩＤからデータテーブル（図４）を参照し、以下のように、フレームの割り付けを行う。
フレーム１：デバイスＩＤ０３  ３００ｍＷ／ｍｉｎ  ２０秒給電
フレーム２：デバイスＩＤ０２  ６００ｍＷ／ｍｉｎ  ２０秒給電
フレーム３：デバイスＩＤ０５  ６００ｍＷ／ｍｉｎ  ２０秒給電
例えば、デバイスＩＤ０３の外部デバイスの要求電力が１００ｍＷ／ｍｉｎの場合、３００ｍＷ／ｍｉｎの給電能力で２０秒給電することにより、１分間のデバイスＩＤ０３の外部デバイスへの要求電力１００ｍＷ／ｍｉｎを満たすことができる。これにより、フレーム１，２，３，１・・・の順にフレーム処理が実行され、給電が行われる。図１０は、上記フレーム割り付けの結果を示す概略図である。このように、各フレームの処理が連続して実行される。
なお、上記処理においては、関連付け期間、転送準備期間及び電力転送期間を含めて２０秒としている。しかし、１フレームあたりの電力転送期間が１フレームの９０％以上の期間を占めるので、他の例としては、ＣＰＵ２１４は、電力転送期間を２０秒として給電時間を算出してもよい。
【００３７】
図１１は、電力転送期間における詳細な処理を示すシーケンス図である。図１１を参照しつつ、関連付け期間において外部デバイスＡが選択された場合の処理を例に、電力転送期間における処理を説明する。Ｓ９０１において、ＭＦＰ１０１のＣＰＵ２１４は、ワイヤレス給電制御部２２４に対し、給電開始コマンドをセットする。これにより、ＭＦＰ１０１は給電を開始する（給電処理）。これに対し、Ｓ９２１において、外部デバイスＡは、ＭＦＰ１０１からの給電開始を検知する。
続いて、Ｓ９２２において、外部デバイスＡは、ＭＦＰ１０１に対し給電中断を要求するか否かを判断する。外部デバイスＡは、例えば、予め定められた条件に合致した場合に、給電中断を要求する。なお、外部デバイスＡには、不測の事態への対応を行うための条件が予め設定されているものとする。
Ｓ９２２において、給電中断を要求する場合には、外部デバイスＡは、処理をＳ９２３へ進める。Ｓ９２３において、外部デバイスＡは、ＭＦＰ１０１に中断要求を送信する。続いて、外部デバイスＡは、処理をＳ９２６へ進める。
【００３８】
Ｓ９２２において、給電中断を要求しない場合には、外部デバイスＡは、処理をＳ９２４へ進める。Ｓ９２４において、外部デバイスＡの電力計測部４０７は、受電電力を計測する。次に、Ｓ９２５において、外部デバイスＡは、電力計測部４０７により得られた受電電力を示す受電電力情報をＭＦＰ１０１に送信する。次に、外部デバイスＡは、処理をＳ９２６に進める。以上のように、外部デバイスＡは、給電終了通知を受信するまで、Ｓ９２２〜Ｓ９２６の処理を繰り返す。
一方、ＭＦＰ１０１においては、Ｓ９０２において、ＣＰＵ２１４は、給電時間の終了をワイヤレス給電制御部２２４からの割込信号によって検知する。終了を検知した場合は、ＣＰＵ２１４は、処理をＳ９０３へ進める。終了を検知していない場合は、ＣＰＵ２１４は、処理をＳ９０４へ進める。Ｓ９０４において、ＣＰＵ２１４は、外部デバイスＡからの給電通信部２２２を介した通信により、給電の中断要求を受信したか否かを判断する。中断要求を受信した場合には、ＣＰＵ２１４は、処理をＳ９０５へ進める。中断要求を受信しない場合には、ＣＰＵ２１４は、処理をＳ９０９のへ進める。
【００３９】
Ｓ９０９において、ＣＰＵ２１４は、給電電力を特定する（給電電力特定処理）。具体的には、ＣＰＵ２１４はワイヤレス給電制御部２２４から電力計測部３０２により計測された給電電力を取得する。次に、Ｓ９１０において、ＣＰＵ２１４は、外部デバイスＡに対し、受電電力の計測要求を送信する。この場合、外部デバイスＡは、ステップＳ９２４において、受電電力を計測し、ステップＳ９２５において、ＭＦＰ１０１に受電電力情報を送信する。
次に、Ｓ９１１において、ＭＦＰ１０１のＣＰＵ２１４は、外部デバイスＡから受電電力情報を受信する（受電電力受信処理）。そして、ＣＰＵ２１４は、受信した受電電力情報及びＳ９１０において得られた給電電力をデータテーブルにおいて、外部デバイスＡのデバイスＩＤに対応付けて格納し、データテーブルを更新する。次に、Ｓ９１２において、ＣＰＵ２１４は、データテーブルにおいて、外部デバイスＡに対応付けられている、要求電力、受電電力及び給電電力に基づいて、ワイヤレス給電部３０１による給電のオンオフを制御する。なお、Ｓ９１２における処理については図１２を参照しつつ、後に詳述する。
【００４０】
次に、Ｓ９１３において、ＣＰＵ２１４は、Ｓ９１２において、給電停止と判定した場合には、処理をＳ９０５へ進める。また、ＣＰＵ２１４は、給電継続と判定した場合には、処理をＳ９０４へ進める。ＭＦＰ１０１は、給電が終了するまで、以上の処理を繰り返す。
Ｓ９０５において、ＣＰＵ２１４は、給電の中断要求に基づいて、ワイヤレス給電制御部２２４に対し給電停止コマンドをセットする。これにより、ワイヤレス給電制御部２２４による給電が停止する。給電が終了又は停止した場合は、Ｓ９０３において、ＭＦＰ１０１のＣＰＵ２１４は、給電通信部２２２を介し、外部デバイスに対し給電終了通知を発行し、外部デバイスＡのステータスコードや、バッテリ充電状況等のデバイス情報を要求する。
【００４１】
外部デバイスＡは、Ｓ９２６において、ＭＦＰ１０１から給電終了通知を受信すると、処理をＳ９２７へ進める。次に、Ｓ９２７において、外部デバイスＡは、ＭＦＰ１０１から要求されたステータスコードやバッテリ充電状況など、外部デバイスＡのデバイス情報をＭＦＰ１０１に送信する。
Ｓ９０６において、ＭＦＰ１０１のＣＰＵ２１４は、給電通信部２２２を介し、外部デバイスＡのデバイス情報を受信する。Ｓ９０７において、ＣＰＵ２１４は、受信したデバイス情報に基づいて、データテーブルを更新する。すなわち、ＣＰＵ２１４は、外部デバイスＡのデバイスＩＤに対応するステータスコードやバッテリ充電状況をデータテーブルに書き込む。Ｓ９０８において、ＣＰＵ２１４は、デバイス情報を受信した旨の受信通知を外部デバイスＡに送信する。以上により、電力転送期間におけるＭＦＰ１０１の処理が完了する。また、Ｓ９２８において、外部デバイスＡは、ＭＦＰ１０１からデバイス情報の受信通知を受信する。以上により、電力転送期間における外部デバイスＡの処理が完了する。
【００４２】
図１２は、図１１に示すＳ９１２におけるＭＦＰ１０１による給電制御処理を示すフローチャートである。Ｓ１００１において、ＭＦＰ１０１のＣＰＵ２１４は、設定電力としての要求電力に対する受電電力の割合である受電率を算出する。具体的には、ＣＰＵ２１４は、（式１）により、受電率（％）を算出する（受電率算出処理）。
受電率＝（受電電力÷要求電力）×１００      …（式１）
次に、Ｓ１００２において、ＣＰＵ２１４は、受電率と予め設定された閾値とを比較する。なお、本実施形態においては、閾値を４０％とする。なお、閾値は、例えばＭＦＰ１０１のメモリ２０８等に予め設定されているものとする。また、閾値は任意の値である。受電率が閾値以上である場合には、ＣＰＵ２１４は、処理をＳ１０１０へ進め、給電を継続する。一方、受電率が閾値未満である場合には、ＣＰＵ２１４は、処理をＳ１００３へ進め、給電を停止するための処理を行う。
【００４３】
ワイヤレス給電で供給される電力は、給電ポイントからの距離が長くなるに従い、より広い範囲に拡散する。このため、給電ポイントから外部デバイスまでの距離が長くなる程、外部デバイスの受電率は小さくなることが想定される。また、ワイヤレス給電において、給電ポイントと外部デバイスまでの間に、電力の遮蔽物が存在する場合にも、外部デバイスの受電率は小さくなる。
このように外部デバイスの受電率が小さい場合には、ＭＦＰ１０１からの給電効率が悪い。このため、給電を継続するのは好ましくない。したがって、本実施の形態にかかるＭＦＰ１０１は、受電率と閾値との比較結果に基づいて、給電のオンオフを制御することとする。
受電率が閾値未満である場合には、上述のように、外部デバイスＡが給電エリア外に存在する、外部デバイスＡとＭＦＰ１０１との間に電力の遮蔽物が存在するなどの理由が考えられる。したがって、この場合には、Ｓ１００３において、ＣＰＵ２１４は、ステータスコードをＯＵＴと判定する。そして、Ｓ１００４において、ＣＰＵ２１４は、ワイヤレス給電部３０１による給電を停止する（給電制御処理）。
【００４４】
一方、Ｓ１００２において、受電率が閾値以上である場合には、Ｓ１０１０以降の処理において、給電対象とする外部デバイス以外に、電力を吸収する異物が存在するか否かを判断する。このような異物が存在する場合には、ＭＦＰ１０１からの給電電力は、この異物に対して供給されてしまう。このため、給電効率が悪い。また、この異物が発熱等の危険な状態が生じる可能性もある。そこで、本実施形態にかかるＭＦＰ１０１においては、このような異物の存在の有無に基づいて、給電のオンオフを制御する。
Ｓ１０１０において、ＣＰＵ２１４は、給電電力に対する受電電力の割合である給電効率を算出する。具体的には、ＣＰＵ２１４は、（式２）により給電効率（％）を算出する（給電効率算出処理）。
給電効率＝（受電電力÷給電電力）×１００      …（式２）
【００４５】
次に、Ｓ１０１１において、ＣＰＵ２１４は、算出した給電効率及び受電効率に対し、（式３）の関係関数が成り立つか否かを判断する（関係判断処理）。
給電効率＝Ｆ（受電率）      …（式３）
ここで、Ｆ（受電率）は、受電率を変数とする関数である。Ｓ１０１１において、ＣＰＵ２１４は、Ｓ１０１０において得られた給電効率の値が、（式３）により受電率から得られる給電効率の値を基準とする誤差範囲内の値である場合に、給電効率及び受電効率に対し、関係関数が成り立つと判定することとする。
受電率及び給電効率の算出に利用された受電電力と、受電率算出に利用された要求電力と、給電効率算出に利用された給電電力とは、それぞれ対応するタイミグにおいて得られた値である。ここで、対応するタイミングとは、同一タイミグと評価可能なタイミングである。すなわち、これら受電電力、要求電力及び給電電力は、同一タイミングと評価可能なタイミング範囲内において得られた値である。なお、関係関数及び誤差範囲は、任意に設定することができる。関係関数及び誤差範囲は、ＣＰＵ２１４により、予めメモリ２０８等に格納されているものとする（関係情報格納処理）。
【００４６】
ここで、関係関数について説明する。給電ポイントから外部デバイスまでの給電距離が長くなる程、給電を行うための電気的結合は、密の状態から疎の状態へ変化する。電気的結合が密の状態から疎の状態へ変化することによって、ワイヤレス給電部３０１では、ワイヤレスで接続される外部デバイスＡに対する電力負荷が小さくなるように変化する。負荷が小さくなると、ワイヤレス給電制御部２２４にて計測される給電電力は、小さくなる。
この電気的結合の状態を示す指標値として、給電効率の値を用い、給電距離に相当する指標値として受電率を用いることとすると、給電効率と受電率との関係は、上記関係関数（式３）のように表すことができる。関係関数は、例えば１次関数や２次関数であってもよい。
しかしながら、給電対象とする外部デバイス以外に、電力を吸収する異物が存在する場合には、ＭＦＰ１０１からの給電電力は、この異物に与えられてしまう。したがって、外部デバイスにおいては、ＭＦＰ１０１からの給電電力に応じた受電電力が得られないこととなる。すなわち、この場合には、関係関数（式３）は、成り立たなくなる。そこで、上述のように、ＭＦＰ１０１は、実際に算出された受電率と給電効率とが、関係関数を満たすか否かにより、電力を吸収する異物の存在の有無を判定することとした。
【００４７】
なお、本実施の形態においては、ＣＰＵ２１４は、電力効率と受電率とが異物が存在しない場合の理想的な関係にあるか否かを関係関数により評価したが、これに限定されるものではない。他の例としては、ＭＦＰ１０１は、異物が存在しない場合の電力効率と受電率との理想的な関係を示す関係情報を予めメモリ２０８等に格納しておく。そして、ＣＰＵ２１４は、関係情報に基づいて、実際に得られた電力効率と受電率とが、関係情報に示される関係を有するか否かを評価することとしてもよい。関係情報は、例えば受電率と、受電率から得られる理想的な給電効率とを対応付けた関係テーブルであってもよい。
【００４８】
Ｓ１０１１において、算出された給電効率及び受電率に対し、関係関数が成り立つ場合には、ＣＰＵ２１４は、処理をＳ１０１２へ進め、給電を継続する。Ｓ１０１２において、ＣＰＵ２１４は、ステータスコードをＧＯＯＤと判定する。次に、Ｓ１０１３において、ＣＰＵ２１４は、給電電力調整可能と判断する。なお、給電電力調整可能と判断した場合には、ＣＰＵ２１４は、適宜給電電力を変更してもよい。例えば、ＣＰＵ２１４は、前フレームの受電電力と、現フレームの受電電力とを比較する。そして、ＣＰＵ２１４は、現フレームの受電電力が前フレームの受電電力に比べて小さい場合には、給電電力を増加させる。これにより、外部デバイスＡの受電電力を外部デバイスＡの要求電力に近付けることができる。
一方、Ｓ１０１１において、算出された給電効率及び受電率に対し、関係関数が成り立たない場合には、ＣＰＵ２１４は、処理をＳ１０１４に進める。Ｓ１０１４において、ＣＰＵ２１４は、ステータスコードをＥＲＲと判定し、処理をＳ１０１４に進める。Ｓ１０１５において、ＣＰＵ２１４は、データテーブルにおいて、外部デバイスＡのデバイスＩＤに対応付けて、ステータスコード及び給電を適宜更新し、処理が完了する。
【００４９】
ＣＰＵ２１４はまた、データテーブルを参照し、各外部デバイスへの給電情報を操作部２１１へ表示するための処理を行う。図１３は、操作部２１１を示す図である。操作部２１１は、操作画面１００１と、オプションボタン１００２とを有している。操作画面１００１は、液晶操作タッチパネルである。例えば、ユーザによりオプションボタン１００２が操作されると、操作画面１００１が遷移する。ユーザは、操作画面１００１において、様々な設定を行うことができる。
例えば、図示はしていないが、オプションボタン１００２より操作画面１００１を遷移させると、操作画面１００１には、給電情報表示設定ボタンが表示される。給電情報表示設定ボタンは、ＭＦＰ１０１が給電情報の表示の指示をユーザから受け付けるボタンである。
【００５０】
以下に、各外部デバイスへの給電情報を操作部２１１へ表示する給電情報表示処理について説明する。ユーザにより、操作部２１１から、給電情報表示ボタンが選択されると、操作制御部２０９よりＣＰＵ２１４に対して、給電情報表示要求がバス２１２を介して伝達される。ＣＰＵ２１４は、データテーブルより情報表示に必要な情報を読み取り、図１４に示すような表示データを作成する。表示データには、データテーブルに登録されているデバイスＩＤが含まれている。表示データには、さらにデバイスＩＤに対応するバッテリ充電状況と、給電状況と、給電エリアと、優先フラグと、連携フラグとが含まれている。
前述したように、バッテリ充電状況は％単位で表示される。給電状況は、データテーブルの給電フラグに対応する。給電中はＳｕｐｐｌｙ、給電ストップ中はＳｔｏｐが、給電情報として表示される。
【００５１】
給電エリアは、データテーブルのエリアに対応する。エラーがなく、データテーブルのステータスコードがＧＯＯＤの外部デバイスは、給電可能領域１０６内に位置する。したがって、対応する給電エリアには、ＩＮが表示される。エラーがなく、データテーブルのステータスコードがＯＵＴの外部デバイスは、給電可能領域１０６の範囲外に位置する。したがって、外部デバイスに対応する給電エリアには、ＯＵＴが表示される。
優先フラグは、データテーブルの優先フラグに対応する。ユーザにより優先的に給電したい外部デバイスとして設定された外部デバイスの優先フラグには、Ｐｒｉｏｒｉｔｙが表示される。連携フラグは、データテーブルの連携フラグに対応する。連携フラグは、外部デバイスがＭＦＰ１０１と連携している状態を表示する。例えば、外部デバイスがプリントジョブ中の場合はＰｒｉｎｔ、スキャンジョブの場合はＳｃａｎ等が表示される。ＣＰＵ２１４は、作成した表示データを、バス２１２を介して操作制御部２０９に転送し、表示コマンドを発行する。操作制御部２０９は、表示コマンドに基づいて、表示データを操作部２１１の操作画面１００１に表示する。
【００５２】
図１５は、操作画面１００１に表示された表示データ画面の一例を示す図である。図１５に示す表示データ画面１２０２は、図１４に示す表示データに対応している。図１４に示す表示データは、図１５に示すように操作部２１１に表示される。表示データ画面１２０２は、デバイスＩＤ０１の外部デバイスの状態として、バッテリ受電状況５０％、給電はＳｔｏｐ状態、給電可能領域１０６外に位置し、優先フラグ、連携フラグはないという状態を表示している。
表示データ画面１２０２また、デバイスＩＤ０２の外部デバイスの状態として、バッテリ受電状況４０％、給電可能領域１０６内に位置し、給電はＳｕｐｐｌｙ状態、優先フラグＰｒｉｏｒｔｙが設定され、連携フラグはないという状態を表示している。
表示データ画面１２０２はまた、デバイスＩＤ０４の外部デバイスの状態として、バッテリ受電状況８０％、給電可能領域１０６内に位置し、給電はＳｕｐｐｌｙ状態、優先フラグはないという状態を表示している。さらに、表示データ画面１２０２は、デバイスＩＤ０４の外部デバイスの状態として、連携フラグＰｒｉｎｔと表示し、この外部デバイスがＭＦＰ１０１と連携状態にあることを表示している。
【００５３】
ユーザは、タッチパネル形式の操作画面１００１を操作することにより、希望のデバイスＩＤを選択し、優先フラグの設定など、各種設定を行うことができる。また、ユーザは、操作画面１００１を操作することにより、給電可能領域１０６内の外部デバイスに対して、給電開始や給電停止等の設定を行うことができる。操作画面１００１において設定が変更されると、変更指示が操作制御部２０９、バス２１２を介して、ＣＰＵ２１４に伝えられ、制御される。
さらに、ＣＰＵ２１４は、予め設定された条件に合致する場合には、操作画面１００１に表示データ画面１２０２とともに給電能力変更キー１２０１を表示する。ここで、給電能力変更キー１２０１は、給電可能領域１０６の範囲、すなわちワイヤレス給電部３０１の給電能力の変更指示を受け付けるためのユーザインタフェースである。
【００５４】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００５５】
以上、上述した各実施形態によれば、ワイヤレスの受電デバイスに適した、効率的な給電処理を行うことができる。
【００５６】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2014150636.tif 000003
【図２】
2014150636.tif 000004
【図３】
2014150636.tif 000005
【図４】
2014150636.tif 000006
【図５】
2014150636.tif 000007
【図６】
2014150636.tif 000008
【図７】
2014150636.tif 000009
【図８】
2014150636.tif 000010
【図９】
2014150636.tif 000011
【図１０】
2014150636.tif 000012
【図１１】
2014150636.tif 000013
【図１２】
2014150636.tif 000014
【図１３】
2014150636.tif 000015
【図１４】
2014150636.tif 000016
【図１５】
2014150636.tif 000017